(57)【要約】【課題】表面全体が均一に発光するＬＥＤを提供する。【解決手段】ＬＥＤチップ１と、透明の被覆体２と、接続ピン３とからなる表面全体が均一に発光するＬＥＤであり、透明の被覆体２の上部には凹陥部２１が設けられている。凹陥部２１の光学拡散特性を利用することによりＬＥＤの光線を屈折し、被覆体２の表面全体から均一に光線を放射させることができ、構造が簡単で、容易に製作でき、生産コストも安く、装飾効果も優れ、各種の灯具に幅広く応用できる。また、装飾効果を高めるために、被覆体２を有色材料とすることができる。【選択図】  図３
2007524221.tif 000002
【特許請求の範囲】
【請求項１】
ＬＥＤチップと、接続ピンと、透明の被覆体とからなり、
前記透明の被覆体の上部には凹陥部が設けられていることを特徴とする表面全体が均一に発光するＬＥＤ。
【請求項２】
前記透明の被覆体は、円筒状の管体であり、前記円筒状の管体の上部には逆錐形の凹陥部が設けられていることを特徴とする請求項１記載の表面全体が均一に発光するＬＥＤ。
【請求項３】
前記円筒状の管体の上部には、逆円錐形の凹陥部が設けられていることを特徴とする請求項２記載の表面全体が均一に発光するＬＥＤ。
【請求項４】
前記円筒状の管体の上部には、逆角錐形の凹陥部が設けられていることを特徴とする請求項２記載の表面全体が均一に発光するＬＥＤ。
【請求項５】
前記逆錐形の凹陥部の角度は、１００度〜１６０度であることを特徴とする請求項１または２記載の表面全体が均一に発光するＬＥＤ。
【請求項６】
前記逆錐形の凹陥部の角度は、１３０度〜１４０度であることを特徴とする請求項５記載の表面全体が均一に発光するＬＥＤ。
【請求項７】
前記透明の被覆体は、円筒状の管体であり、前記円筒状の管体上部には半円形の凹陥部が設けられていることを特徴とする請求項１記載の表面全体が均一に発光するＬＥＤ。
【請求項８】
前記被覆体は、有色材料であり、その色とＬＥＤチップから放出される光の色とは同色であることを特徴とする請求項１記載の表面全体が均一に発光するＬＥＤ。
【請求項９】
前記接続ピンの上部には、電極部が設けられ、その中の一電極部上にはＬＥＤチップが設置される凹部が設けられていることを特徴とする請求項１記載の表面全体が均一に発光するＬＥＤ。
【発明の詳細な説明】
【技術分野】
【０００１】
本発明はＬＥＤの構造に関し、特に表面全体が均一に発光するＬＥＤの構造に関する。
【背景技術】
【０００２】
ＬＥＤは、半導体チップ技術の発達およびＬＥＤが有する低電圧駆動、非発熱、高耐久性などの長所から、各種灯具に広く使用されており、特に装飾灯具に頻繁に使用されている。しかし、従来技術によるＬＥＤは一般にその上端外部に突出した円弧状の被覆体に被覆された構造により、光は前面に集中して放射されるだけで、放射角は非常に狭い。また、前面への光が集中されすぎるので目に眩しく、前面以外の部分の発光は非常に弱く、使用効果は優れない。
【０００３】
この欠点を解決するために、被覆体の形状を改良したものがあり、外部に突出したダイヤモンド型のもの、外部に突出した多角形のものまたは被覆体の周囲に凹凸状の点を設置したものがある。これらの構造によって光線は屈折され、周囲からも光が放射されるが、被覆体の上端の形状がやはり外部に突出した形状であるので、大部分の光は前面に集中し、周囲の発光はやはり弱く、使用効果は優れない。
【０００４】
中国専利ＺＬ９８２４８９５９号において、被覆体内にガラス玉を添加する方法が示されている。この方法によって一部分の光線はＬＥＤの周囲から放射されるが、ガラス玉の比重と被覆体のエポキシ樹脂の比重とは異なるので、加工時、ガラス玉の分散が不均一になり、それによって発光が不均一になる現象が発生し、また、加工工程も複雑であるので、メーカーおよび消費者には受け入れられにくい。
【発明の開示】
【発明が解決しようとする課題】
【０００５】
本発明の目的は、表面全体が均一に発光し、装飾効果に優れ、構造が簡単で、生産コストの安いＬＥＤを提供することにある。
【課題を解決するための手段】
【０００６】
本考案の目的を達成するために、本考案による表面全体が均一に発光するＬＥＤは、ＬＥＤチップと、透明の被覆体と、接続ピンとからなり、透明の被覆体の上部には凹陥部が設けられている。被覆体の形状および上部の凹陥部の形状は必要に応じて任意に設計することができ、例えば被覆体を円筒状の管体とし、凹陥部を逆錐形または逆半円形とすることができる。凹陥部が逆錐形の場合の表面全体を均一に発光させるために好ましい角度は１００度〜１６０度である。また、装飾効果を高めるために、被覆体は有色材料である。
【発明の効果】
【０００７】
本考案は被覆体の上部に凹陥部を設置した構造となっており、凹陥部の光学拡散特性を利用することによりＬＥＤの光線を屈折させ、被覆体の表面全体から均一に光線が放射されるようにしたものであり、構造が簡単で、容易に製作でき、生産コストも安く、装飾効果も優れ、各種の灯具に幅広く応用でき、従来技術によるＬＥＤにおける前面への光が集中されすぎて前面以外の部分の発光が非常に弱いという欠点を解決し、表面全体が均一に発光するＬＥＤである。また、装飾効果を高めるために、被覆体を有色材料とすることができる。
【発明を実施するための最良の形態】
【０００８】
図１、２、３に示すように、本発明は、ＬＥＤチップ１と、接続ピン３と、透明の被覆体２とからなり、接続ピン３が透明の被覆体２から容易に脱落しないように、接続ピン３の上部には電極部３１が設けられている。被覆体２はエポキシ樹脂からなり、ＬＥＤチップ１からの光線を前方に集中させるために、電極部３１上にはＬＥＤチップ１を設置する凹部３１１が設けられ、電極部３１の上端はワイヤーによって他方の電極部３１の凹部３１１内のＬＥＤチップ１と接続されている。図４に示すように、表面全体が均一に発光し、装飾効果を高めるために、被覆体２の上部には凹陥部２１が設けられ、凹陥部２１の光学拡散特性を利用してＬＥＤチップ１から放射された光線が凹陥部２１に照射されるとき、凹陥部２１は光線を屈折させて被覆体２の表面全体が均一に発光するようにでき、その光は目を刺激することなく、装飾性に優れる。被覆体２は様々な形状の管体２とすることができ、例えば半円形の管体２または円筒状の管体２とすることができる。一般には円筒状の管体２が採用され、円筒状の管体２上部の凹陥部２１の形状は必要に応じて逆円錐形または逆角錐形とすることができ、また半円形とすることもできる。図３に示すように、凹陥部２１を逆錐形にしたとき、効果は優れたものとなり、その角度が大きすぎたり、小さすぎたりした場合、ＬＥＤチップ１が凹陥部２１を照射する光線の大部分が前部から放射されて周囲の発光が弱くなるので、凹陥部２１の角度は１００度〜１６０度が好適な角度であり、特に１３０度〜１４０度の場合、最も優れた効果を発揮する。装飾効果を高めるために、被覆体２は必要に応じて各種の有色材料とすることができ、被覆体２の色とＬＥＤチップ１から放射させる色は同色である。図３は青色ＬＥＤまたは白色ＬＥＤ以外の色のＬＥＤにおける本発明の構造を示す模式図であり、図５は青色ＬＥＤまたは白色ＬＥＤにおける本発明の構造を示す模式図である。
【図面の簡単な説明】
【０００９】
【図１】本発明の構造を示す斜視図である。
【図２】本発明を示す上面図である。
【図３】図２のＡ−Ａ線断面図である。
【図４】本発明の使用時における発光状態を示す模式図である。
【図５】青色ＬＥＤまたは白色ＬＥＤにおける本発明の構造を示す断面図である。
【符号の説明】
【００１０】
１    ＬＥＤチップ
２    管体（被覆体）
２１  凹陥部
３    接続ピン
３１  電極部
３１１凹部
【図１】
2007524221.tif 000003
【図２】
2007524221.tif 000004
【図３】
2007524221.tif 000005
【図４】
2007524221.tif 000006
【図５】
2007524221.tif 000007
【手続補正書】
【提出日】平成17年2月4日(2005.2.4)
【手続補正１】
【補正対象書類名】特許請求の範囲
【補正対象項目名】全文
【補正方法】変更
【補正の内容】
【特許請求の範囲】
【請求項１】
ＬＥＤチップ1と、接続ピン3と、透明の被覆体とからなり、
該透明被覆体は円筒管体2にてなり、該管体2の上部は錐角１００度〜１４０度の円錐状凹体又は多角錐状凹体を設けてなることを特徴とする表面全体が均一に発光するＬＥＤ。
【請求項２】
前記管体2の上部の凹体錐角は、１３０度〜１４０度であることを特徴とする請求項１記載の表面全体が均一に発光するＬＥＤ。
【請求項３】
前記被覆体は、有色材料であり、その色とＬＥＤチップ1から放出される光の色とは同色であることを特徴とする請求項１又は２記載の表面全体が均一に発光するＬＥＤ。
【請求項４】
前記接続ピン3の上部には、電極部31が設けられ、その中の一電極部31上にはＬＥＤチップ1が設置される凹部311が設けられていることを特徴とする請求項１又は２記載の表面全体が均一に発光するＬＥＤ。
【請求項５】
ＬＥＤチップ1と、接続ピン3と、透明の被覆体とからなり、
該透明被覆体は円筒管体2にてなり、該管体2の上部は半円形凹体を設けてなることを特徴とする表面全体が均一に発光するＬＥＤ。
【請求項６】
前記被覆体は、有色材料であり、その色とＬＥＤチップ1から放出される光の色とは同色であることを特徴とする請求項５記載の表面全体が均一に発光するＬＥＤ。
【請求項７】
前記接続ピン3の上部には、電極部31が設けられ、その中の一電極部31上にはＬＥＤチップ1が設置される凹部311が設けられていることを特徴とする請求項５記載の表面全体が均一に発光するＬＥＤ。
【手続補正２】
【補正対象書類名】明細書
【補正対象項目名】全文
【補正方法】変更
【補正の内容】
【発明の詳細な説明】
【技術分野】
【０００１】
本発明はＬＥＤの構造に関し、特に表面全体が均一に発光するＬＥＤの構造に関する。
【背景技術】
【０００２】
ＬＥＤは、半導体チップ技術の発達およびＬＥＤが有する低電圧駆動、非発熱、高耐久性などの長所から、各種灯具に広く使用されており、特に装飾灯具に頻繁に使用されている。しかし、従来技術によるＬＥＤは一般にその上端外部に突出した円弧状の被覆体に被覆された構造により、光は前面に集中して放射されるだけで、放射角は非常に狭い。また、前面への光が集中されすぎるので目に眩しく、前面以外の部分の発光は非常に弱く、使用効果は優れない。
【０００３】
この欠点を解決するために、被覆体の形状を改良したものがあり、外部に突出したダイヤモンド型のもの、外部に突出した多角形のものまたは被覆体の周囲に凹凸状の点を設置したものがある。これらの構造によって光線は屈折され、周囲からも光が放射されるが、被覆体の上端の形状がやはり外部に突出した形状であるので、大部分の光は前面に集中し、周囲の発光はやはり弱く、使用効果は優れない。
【０００４】
中国専利ＺＬ９８２４８９５９号において、被覆体内にガラス玉を添加する方法が示されている。この方法によって一部分の光線はＬＥＤの周囲から放射されるが、ガラス玉の比重と被覆体のエポキシ樹脂の比重とは異なるので、加工時、ガラス玉の分散が不均一になり、それによって発光が不均一になる現象が発生し、また、加工工程も複雑であるので、メーカーおよび消費者には受け入れられにくい。
【発明の開示】
【発明が解決しようとする課題】
【０００５】
本発明の目的は、表面全体が均一に発光し、装飾効果に優れ、構造が簡単で、生産コストの安いＬＥＤを提供することにある。
【課題を解決するための手段】
【０００６】
本発明の目的を達成するために、本発明による表面全体が均一に発光するＬＥＤは、ＬＥＤチップと、透明の被覆体と、接続ピンとからなり、透明の被覆体は、円筒状管体にてなると共に、管体上部には錐角１００度〜１４０度の円錐状凹体又は多角錐状の凹体が設けられている。表面全体を均一に発光させ、好ましい屈折効果を得る為、本発明が採用する凹体の錐角は１３０度〜１４０度である。上記ＬＥＤの透明の被覆体は円筒状管体にてなると共に、管体上部の凹体は半円形凹体にてなる。また、装飾効果を高めるために、被覆体は有色材料である。
【発明の効果】
【０００７】
本発明は被覆体の上部に錐角１００度〜１４０度の錐状凹体又は半円形凹体を設置した構造となっており、凹体の光学拡散特性を利用することによりＬＥＤチップ発する光線を屈折させ、被覆体の表面全体から均一に光線が放射されるようにしたものであり、構造が簡単で、容易に製作でき、生産コストも安く、装飾効果も優れ、各種の灯具に幅広く応用でき、従来技術によるＬＥＤにおける前面への光が集中されすぎて前面以外の部分の発光が非常に弱いという欠点を解決し、表面全体が均一に発光するＬＥＤである。また、装飾効果を高めるために、被覆体を有色材料とすることができる。
【発明を実施するための最良の形態】
【０００８】
図１と図３に示すように、本発明は、ＬＥＤチップ１と、接続ピン３と、透明の被覆体２とからなり、接続ピン３が透明の被覆体２から容易に脱落しないように、接続ピン３の上部には電極部３１が設けられている。被覆体２はエポキシ樹脂からなり、ＬＥＤチップ１からの光線を前方に集中させるために、電極部３１上にはＬＥＤチップ１を設置する凹部３１１が設けられ、電極部３１の上端はワイヤーによって他方の電極部３１の凹部３１１内のＬＥＤチップ１と接続されている。図４に示すように、表面全体が均一に発光し、装飾効果を高めるために、透明被覆体は円筒管体２にてなると共に、管体２の上部には錐角１００度〜１４０度の円錐状凹体２１又は多角錐状凹体２１が設けられ、管体２の上部も半円形凹体を設けてなることができる。凹体２１の光学拡散特性を利用してＬＥＤチップ１から放射された光線が凹体２１に照射されるとき、凹体２１は光線を屈折させて被覆体２の表面全体が均一に発光するようにでき、図３に示すように、管体２の上部が錐形凹体２１にてなる時、効果は優れたものとなり、その角度が大きすぎたり、小さすぎたりした場合、ＬＥＤチップ１が凹体２１を照射する光線の大部分が前部から放射されて周囲の発光が弱くなるので、凹体２１の錐角は１００度〜１６０度が好適な角度であり、特に１３０度〜１４０度の場合、最も優れた効果を発揮し、表面全体が均一に発光するようにでき、その光は目を刺激することなく、装飾性に優れる。装飾効果を高めるために、被覆体２は必要に応じて各種の有色材料とすることができ、被覆体２の色とＬＥＤチップ１から放射させる色は同色である。図３は青色ＬＥＤまたは白色ＬＥＤ以外の色のＬＥＤにおける本発明の構造を示す模式図であり、図５は青色ＬＥＤまたは白色ＬＥＤにおける本発明の構造を示す模式図である。本発明は、表面全体が均一に発光し、装飾効果が高く、更に構造が簡単で、製作が簡易であり、生産コストが低く、各種新型装飾灯の分野で広範囲に応用が可能である。
【図面の簡単な説明】
【０００９】
【図１】本発明の構造を示す斜視図である。
【図２】本発明を示す上面図である。
【図３】図２のＡ−Ａ線断面図である。
【図４】本発明の使用時における発光状態を示す模式図である。
【図５】青色ＬＥＤまたは白色ＬＥＤにおける本発明の構造を示す断面図である。
【符号の説明】
【００１０】
１    ＬＥＤチップ
２    管体（被覆体）
２１  凹体
３    接続ピン
３１  電極部
３１１凹部
【国際調査報告】
2007524221.tif 000008
2007524221.tif 000009
2007524221.tif 000010
2007524221.tif 000011
2007524221.tif 000012
2007524221.tif 000013